(57)【要約】【課題】複数のカメラ機能付き携帯電話機を用いてステレオ撮影を行うことが可能なステレオ撮影用ホルダを提供すること。【解決手段】カメラ機能付き携帯電話機１１ａ，１１ｂを装着するための装着部６ａ，６ｂと、これら装着部６ａ，６ｂに装着されたカメラ機能付き携帯電話機１１ａ，１１ｂを保持するための固定用ベルト７ａ，７ｂとを有する。このとき、装着部６ａ，６ｂは、カメラ機能付き携帯電話機１１ａ，１１ｂの撮影レンズがそれぞれ所定の間隔及び所定の輻輳角となるように配置される。【選択図】      図１
2005130031.tif 000002
【特許請求の範囲】
【請求項１】
複数のカメラ機能付き携帯電話機の撮影レンズをそれぞれ所定の間隔及び所定の輻輳角に設定してステレオ撮影を行うことが可能なように上記複数のカメラ機能付き携帯電話機を装着可能な装着部を具備することを特徴とするステレオ撮影用ホルダ。
【請求項２】
上記所定の間隔は、人間の両眼の間隔にほぼ等しい間隔であることを特徴とする請求項１に記載のステレオ撮影用ホルダ。
【請求項３】
上記複数の装着部に装着された上記複数のカメラ機能付き携帯電話機を保持するための保持部を更に具備することを特徴とする請求項１に記載のステレオ撮影用ホルダ。
【請求項４】
上記保持部は、固定用ベルト部材であることを特徴とする請求項３に記載のステレオ撮影用ホルダ。
【請求項５】
上記保持部は、上記複数のカメラ機能付き携帯電話機に設けられた充電器装着用の溝部と係合する係合部であることを特徴とする請求項３に記載のステレオ撮影用ホルダ。
【請求項６】
当該ステレオ撮影用ホルダを固定するための三脚を取り付けるための取り付け機構を更に具備することを特徴とする請求項１に記載のステレオ撮影用ホルダ。
【請求項７】
上記撮影レンズの輻輳角を調整することにより、ステレオ撮影時の撮影範囲を設定可能とするための輻輳角調節部材を更に具備することを特徴とする請求項１に記載のステレオ撮影用ホルダ。
【請求項８】
上記複数のカメラ機能付き携帯電話機と当該ステレオ撮影用ホルダとの間を電気的に接続する電気的接点を更に具備することを特徴とする請求項１に記載のステレオ撮影用ホルダ。
【請求項９】
上記電気的接点を介して上記複数のカメラ機能付き携帯電話機に同時に撮影開始の指示を与えるための操作部材を更に具備することを特徴とする請求項８に記載のステレオ撮影用ホルダ。
【請求項１０】
上記複数のカメラ機能付き携帯電話機は、相互に通信可能であり、この複数のカメラ付き携帯電話機の何れか１つに撮影開始の指示を与えると同時に他のカメラ付き携帯電話機にも撮影開始の指示がなされることを特徴とする請求項１に記載のステレオ撮影用ホルダ。
【請求項１１】
上記通信は、有線通信であることを特徴とする請求項１０に記載のステレオ撮影用ホルダ。
【請求項１２】
上記通信は、無線通信であることを特徴とする請求項１０に記載のステレオ撮影用ホルダ。
【発明の詳細な説明】
【技術分野】
【０００１】
本発明は、複数のカメラ機能付き携帯電話機を用いてステレオ撮影を行うためのステレオ撮影用ホルダに関する。
【背景技術】
【０００２】
同一の被写体を左右両眼の視点に対応する視差を持った２画像を撮影する、所謂ステレオ撮影という撮影手法が知られている。このようなステレオ撮影においては、例えば、特許文献１において提案されているように、２台のカメラを所定の距離だけ離した状態で撮影を行う方法がある。このように２台のカメラを用いてステレオ撮影を行う場合には、ステレオアダプタ等を使用することにより１台のカメラでステレオ撮影を行う場合と異なり、１つの撮像素子の撮像領域を２分割する必要がなく、また、ステレオアダプタを構成する光学系における歪みの影響もない。したがって、２台のカメラを用いてステレオ撮影を行う方法は、１台のカメラでステレオ撮影を行うよりも画質に優れたステレオ画像を撮影することができる。
【０００３】
また、このような２台のカメラを用いてステレオ撮影を行うためのホルダ装置も提案されている。このホルダ装置は、２台のカメラを三脚ネジによってそれぞれ保持できるように構成されている。
【０００４】
また、近年では、カメラ機能を有する携帯電話機が普及してきている。このようなカメラ機能付き携帯電話機は、通常のカメラに比べて小型であり、また、手軽に撮影を行うことができる。
【特許文献１】特開平７−２２０１１３号公報
【発明の開示】
【発明が解決しようとする課題】
【０００５】
上述のようにカメラを２台用いてステレオ撮影を行う場合には、同じカメラが２台必要であり、システムが大型化、高コスト化してしまう。また、ステレオ撮影を行う際には、レンズ間距離（基線長）が人間の両眼の幅（約６５ｍｍ程度）となるように撮影を行うことが好ましいとされているが、通常のカメラをホルダ装置に取り付ける場合には、カメラが有する幅のために、上記のような適正な幅を保たせて取り付けることが困難である。
【０００６】
即ち、通常のカメラに比べて小型であるカメラ機能付き携帯電話機を用いれば、適正な幅を保った状態でステレオ撮影を行うことが可能である。ここで、ステレオ撮影時では、カメラ機能付き携帯電話機の位置を上記のような適正な幅を保持した状態で撮影可能であることが好ましいが、このようなホルダ装置はまだ提案されていない。
【０００７】
本発明は、上記の事情に鑑みてなされたもので、複数のカメラ機能付き携帯電話機を用いてステレオ撮影を行うことが可能なステレオ撮影用ホルダを提供することを目的とする。
【課題を解決するための手段】
【０００８】
上記の目的を達成するために、本発明の第１の態様によるステレオ撮影用ホルダは、複数のカメラ機能付き携帯電話機の撮影レンズをそれぞれ所定の間隔及び所定の輻輳角に設定してステレオ撮影を行うことが可能なように上記複数のカメラ機能付き携帯電話機を装着可能な装着部を具備する。
【０００９】
この第１の態様によれば、複数のカメラ機能付き携帯電話機の撮影レンズをそれぞれ所定の間隔及び所定の輻輳角を保った状態で撮影を行うことが可能である。
【００１０】
また、上記の目的を達成するために、本発明の第２の態様によるステレオ撮影用ホルダは、第１の態様において、上記所定の間隔は、人間の両眼の間隔にほぼ等しい間隔である。
【００１１】
この第２の態様によれば、複数のカメラ機能付き携帯電話機のそれぞれの撮影レンズの間隔を人間の両眼の間隔にほぼ等しい状態に保って撮影を行うことが可能である。
【００１２】
また、上記の目的を達成するために、本発明の第３の態様によるステレオ撮影用ホルダは、第１の態様において、上記複数の装着部に装着された上記複数のカメラ機能付き携帯電話機を保持するための保持部を更に具備する。
【００１３】
この第３の態様によれば、複数のカメラ機能付き携帯電話機を装着部に装着した状態のまま保持することが可能である。
【００１４】
また、上記の目的を達成するために、本発明の第４の態様によるステレオ撮影用ホルダは、第３態様において、上記保持部は、固定用ベルト部材である。
【００１５】
この第４の態様によれば、複数のカメラ機能付き携帯電話機を固定用ベルト部材で保持することが可能である。
【００１６】
また、上記の目的を達成するために、本発明の第５の態様によるステレオ撮影用ホルダは、第３態様において、上記保持部は、上記複数のカメラ機能付き携帯電話機に設けられた充電器装着用の溝部と係合する係合部である。
【００１７】
この第５の態様によれば、複数のカメラ機能付き携帯電話機を係合部によって保持することが可能である。
【００１８】
また、上記の目的を達成するために、本発明の第６の態様によるステレオ撮影用ホルダは、第１の態様において、当該ステレオ撮影用ホルダを固定するための三脚を取り付けるための取り付け機構を更に具備する。
【００１９】
この第６の態様によれば、ステレオ撮影用ホルダに三脚を取り付け可能である。
【００２０】
また、上記の目的を達成するために、本発明の第７の態様によるステレオ撮影用ホルダは、第１の態様において、上記撮影レンズの輻輳角を調整するための輻輳角調節部材を更に具備する。
【００２１】
この第７の態様によれば、撮影時の輻輳角の調整が可能である。
【００２２】
また、上記の目的を達成するために、本発明の第８の態様によるステレオ撮影用ホルダは、第１の態様において、上記複数のカメラ機能付き携帯電話機と当該ステレオ撮影用ホルダとの間を電気的に接続する電気的接点を更に具備する。
【００２３】
この第８の態様によれば、カメラ付き携帯電話機とステレオ撮影用ホルダとを電気的に接続することが可能である。
【００２４】
また、上記の目的を達成するために、本発明の第９の態様によるステレオ撮影用ホルダは、第８の態様において、上記電気的接点を介して上記複数のカメラ機能付き携帯電話機に同時に撮影開始の指示を与えるための操作部材を更に具備する。
【００２５】
この第９の態様によれば、複数のカメラ付き携帯電話機を同時に撮影開始状態にすることが可能である。
【００２６】
また、上記の目的を達成するために、本発明の第１０の態様によるステレオ撮影用ホルダは、第１の態様において、上記複数のカメラ機能付き携帯電話機は、相互に通信可能であり、この複数のカメラ付き携帯電話機の何れか１つに撮影開始の指示を与えると同時に他のカメラ付き携帯電話機にも撮影開始の指示がなされる。
【００２７】
また、上記の目的を達成するために、本発明の第１１の態様によるステレオ撮影用ホルダは、第１０の態様において、上記通信は、有線通信である。
【００２８】
また、上記の目的を達成するために、本発明の第１２の態様によるステレオ撮影用ホルダは、第１０の態様において、上記通信は、無線通信である。
【００２９】
これら第１０〜第１２の態様によれば、複数のカメラ付き携帯電話機を通信により同時に撮影開始状態にすることが可能である。
【発明の効果】
【００３０】
本発明によれば、複数のカメラ機能付き携帯電話機を用いてステレオ撮影を行うことが可能なステレオ撮影用ホルダを提供することができる。
【発明を実施するための最良の形態】
【００３１】
以下、本発明の実施例１を図面を参照して説明する。ここで、図１は本発明の実施例１に係るステレオ撮影用ホルダの構成を示す外観斜視図であり、図２はステレオ撮影用ホルダにカメラ機能付き携帯電話機を装着した際の背面図であり、図３はステレオ撮影用ホルダにカメラ機能付き携帯電話機を装着した際の左側面図であり、図４はステレオ撮影用ホルダにカメラ機能付き携帯電話機を装着した際の上面図である。
【００３２】
即ち、ステレオ撮影用ホルダ本体１には、図１に示すように、複数（ここでは、２台）のカメラ機能付き携帯電話機（以下、単に携帯電話機と称する）１１ａを装着するための装着部６ａ，６ｂが、所定の間隔だけ離れた位置にそれぞれ取り付けられている。ここで、この所定の間隔は、図２に示す携帯電話機１１ａ及び携帯電話機１１ｂの撮影レンズ１２ａと撮影レンズ１２ｂとの間の距離（基線長）が、ステレオ撮影に適する距離（約６５ｍｍ程度）となるように設定する。
【００３３】
また、装着部６ａ，６ｂには、図３に示すようにして携帯電話機１１ａ，１１ｂを戴置できるような形状を有する溝が形成されている。そして、この溝に携帯電話機１１ａ，１１ｂを戴置した後、固定補助用に、マジックテープ（登録商標）等で構成される固定用ベルト７ａ，７ｂを用いて携帯電話機１１ａ，１１ｂを保持できるようになっている。
【００３４】
このようにして携帯電話機１１ａ，１１ｂを保持した場合には、図２に示すように携帯電話機１１ａ，１１ｂの撮影レンズ１２ａ，１２ｂの両光軸がほぼ平行（輻輳角０度）となる。このため、ステレオ撮影に適する状態で、携帯電話機１１ａ，１１ｂを保持することが可能である。
【００３５】
また、装着部６ａ，６ｂの背面には、図４に示すように輻輳角調整用のねじ部材５ａ，５ｂが取り付けられており、このねじ部材５ａ，５ｂと、軸部８ａ，８ｂで輻輳角調整機構を構成している。即ち、この輻輳角調整機構は、装着部６ａ，６ｂをねじ部材５ａ，５ｂを用いて軸部８ａ，８ｂを中心にして回動させることが可能に構成されている。このような機構によって、ステレオ撮影時における輻輳角の調整を行うことにより、携帯電話機１１ａ，１１ｂで取得される画像（ステレオ撮影における左右画像）の撮影範囲を調整することが可能である。
【００３６】
ここで、一般の携帯電話機は、携帯電話機充電用の充電器が装着可能なように構成されていることが多い。このような構成として例えば、携帯電話機に充電器装着用の係合溝が設けられており、この係合溝と充電器に設けられた係合部とを係合させることで携帯電話機に充電器を装着可能とするものがある。そこで、本実施例１においても、携帯電話機に形成された係合溝と係合するような係合部を設けるようにしてもよい。このような係合部を設けるようにすれば、より確実に携帯電話機を保持することが可能である。またこの係合部をステレオ撮像用ホルダへの装着用と充電器装着用とに兼用しても良い。
【００３７】
更に、ステレオ撮影用ホルダ本体１には、２台の携帯電話機に同時に撮影開始の指示を与えるための操作部材であるレリーズボタン２が設けられている。更に、装着部６ａ，６ｂにはレリーズボタン２から入力された信号を携帯電話機１１ａ，１１ｂに入力するための接点３ａ，３ｂが設けられている。即ち、レリーズボタン２と接点３ａ，３ｂとは電気的に接続されている。このような構成において、レリーズボタン２を押圧操作することにより、レリーズボタン２から撮影開始指示を与えるためのレリーズ信号が携帯電話機１１ａ，１１ｂに入力される。そして、このレリーズ信号が入力された携帯電話機１１ａ，１１ｂは、同時に撮影動作を実行する。
【００３８】
勿論、携帯電話機１１ａ，１１ｂは、それぞれがカメラ機能を有しているので、それぞれの携帯電話機１１ａ，１１ｂに設けられているレリーズボタンからも撮影を開始させることができる。この場合には、２台の携帯電話機１１ａ，１１ｂを専用ケーブルを介して通信可能に構成しておき、何れか一方の携帯電話機のレリーズボタンが操作された場合には、もう一方の携帯電話機との同時レリーズが実行されるようにしてもよい。また、このような通信は、有線の通信に限らず、例えばＩｒＤＡ等の赤外線通信やＢｌｕｅＴｏｏｔｈのような無線電磁波通信等でもよい。
【００３９】
また、接点３ａ，３ｂとしては、レリーズボタン２からの信号を携帯電話機に入力させるための電気接点以外に種々のものが考えられる。例えば、携帯電話機１１ａ，１１ｂの装着状態を検出するための接点を設けておけば、装着部に装着されている携帯電話機が１台か否かに応じて通常の撮影を行うかステレオ撮影を行うかを切り替えることができる。即ち、ステレオ撮影用ホルダ本体１は、接点３ａ，３ｂの導通状態により、装着された携帯電話機の数が１台であるか否かを判定し、この判定の結果、装着された携帯電話機が１台のみである場合には、通常撮影を行うことが可能なモードに切り替える。一方、携帯電話機が２台装着された場合には、ステレオ撮影を行うことが可能なモードに切り替える。
【００４０】
更に、接点３ａ，３ｂとして、通常撮影モードとステレオ撮影モードとをスイッチによって切り替えるための接点を設けるようにしてもよいし、携帯電話機の充電用の接点を設けておいてもよい。
【００４１】
ここで、接点３ａ，３ｂは、例えば携帯電話機１１ａ，１１ｂの充電用電極に並べて配置するようにすればよい。図１の例は充電用電極が携帯電話機の下面に設けられている場合であるが、携帯電話機の種類などによっては、図１に示す位置以外の位置に接点３ａ，３ｂを設けてもよいことは言うまでもない。
【００４２】
また、ステレオ撮影用ホルダ本体１には、カメラ用の三脚を取り付けるための部材である三脚取り付け機構４が設けられている。この三脚取り付け機構４により、ステレオ撮影時にカメラ用の三脚を用いることも可能である。
【００４３】
以上説明したように、本実施例１は、複数台のカメラ付き携帯電話機を、ステレオ撮影を行うのに適した状態で保持可能なステレオ撮影用ホルダである。しかしながら、その構成は図１〜図４で説明したものに限るものではない。例えば、実施例１においては輻輳角調整用のねじ機構を装着部のそれぞれに対して設けているが、２つの装着部の輻輳角を同時に調整できるように構成してもよいし、輻輳角の調整量が小さい場合には何れか一方のみの輻輳角を調整できるようにしてもよい。また、輻輳角の調整もねじ部材に限るものではない。
【００４４】
また、本実施例１では携帯電話機を装着部に装着する際の固定補助用に、固定用ベルトを用いているが、例えば図５のようにステレオ撮影用ホルダ本体に固定補助用の機構（例えば固定用の爪等）９ａを設けておき、ステレオ撮影用ホルダ本体から直接、携帯電話機を保持できるようにしてもよい。また、携帯電話機の装着時において生じる可能性のある傷の防止や装着時の安定確保のために、装着部等に布やスポンジなどを配しておくようにしてもよい。
【００４５】
更に、携帯電話機において撮影された画像から所定のステレオ形式の画像ファイルを作成する画像処理機構やこのようにして作成したステレオ形式の画像を確認可能な画像モニタをステレオ撮影用ホルダ本体に設けるようにしてもよい。
【００４６】
また、装着部６ａ，６ｂを取り外し可能に構成しておき、この装着部６ａ，６ｂの代わりに一般の携帯電話機用の充電器を取り付け可能としてもよい。
【００４７】
更に、実施例１では携帯電話機を折り曲げずに保持する例について図示したが、図５、図６（ａ）、及び図６（ｂ）に示すようにして携帯電話機を折り曲げた状態で保持するようにしてもよい。ここで、図６（ａ）の例においては、輻輳角調整用のねじ部材５ａ，５ｂは、ステレオ撮影用ホルダ本体１の底面に設けられている。また、１台の携帯電話機を２つの固定用ベルト（固定用ベルト７ａ，１０ａ）で保持している。なお、他方の携帯電話機も同様に２つの固定用ベルトによって保持されている。
【００４８】
このように、携帯電話機の形状やその他の条件により、ステレオ撮影用ホルダ本体や装着部等の形状等は、種々のものが考えられる。
【００４９】
以上実施例に基づいて本発明を説明したが、本発明は上記した実施例に限定されるものではなく、本発明の要旨の範囲内で種々の変形や応用が可能なことは勿論である。
【００５０】
さらに、上記した実施例には種々の段階の発明が含まれており、開示される複数の構成要件の適当な組合せにより種々の発明が抽出され得る。例えば、実施の形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５１】
【図１】本発明の実施例１に係るステレオ撮影用ホルダの外観斜視図である。
【図２】本発明の実施例１に係るステレオ撮影用ホルダの背面図である。
【図３】本発明の実施例１に係るステレオ撮影用ホルダの左側面図である。
【図４】本発明の実施例１に係るステレオ撮影用ホルダの上面図である。
【図５】本発明の実施例１の第１の変形例の構成図である。
【図６】本発明の実施例１の第２の変形例の構成図である。
【符号の説明】
【００５２】
１…ステレオ撮影用ホルダ本体、２…レリーズボタン、３ａ，３ｂ…接点、４…三脚取り付け機構、５ａ，５ｂ…ねじ部材、６ａ，６ｂ…装着部、７ａ，７ｂ，１０ａ，１０ｂ…固定用ベルト、８ａ，８ｂ…軸部、９ａ…携帯電話機固定補助用機構、１１ａ，１１ｂ…カメラ機能付き携帯電話機、１２ａ，１２ｂ…撮影レンズ
【図１】
2005130031.tif 000003
【図２】
2005130031.tif 000004
【図３】
2005130031.tif 000005
【図４】
2005130031.tif 000006
【図５】
2005130031.tif 000007
【図６】
2005130031.tif 000008